(57)【要約】【課題】  従来の加湿機では、過加湿を防ぐために高湿状態は時間を短くする制御を行っているため、体感的にうるおい感を得たいと要望する使用者に対しては、物足りない加湿運転であるという課題があった。【解決手段】  高湿運転スイッチ３をＯＮしたときは、最初の数時間は高湿の急速加湿運転１１を行い、その後は高湿の範囲で閾値を変えて加湿を制御する高湿キープ運転１２を行うことにより、急速加湿時間１１では「うるおい感」を素早くかつ持続させ、高湿キープ運転１２では高湿レベルを維持させつつ、省エネかつ結露防止を図る。【選択図】  図３
2005037104.tif 000002
【特許請求の範囲】
【請求項１】
高湿運転を選択できる高湿運転スイッチと、室内湿度を検出する湿度センサーと、この湿度センサーの検出湿度に応じて加湿手段を制御する制御部を有し、前記高湿運転スイッチをＯＮしたとき前記制御部は所定の高湿閾値を中心とした湿度に保つ急速加湿運転を所定のタイマー時間だけ行い、その後は所定の加湿停止閾値および再加湿閾値の間で湿度が上下動する高湿キープ運転を行うようにした加湿機。
【請求項２】
制御部は、高湿運転スイッチをＯＮして急速加湿運転を行うとき、湿度センサーの検出湿度が所定の高湿閾値に到達した時点からさらに１時間以上の急速加湿運転を継続してなる請求項１記載の加湿機。
【請求項３】
制御部は、高湿設定スイッチの操作により急速加湿運転のタイマー時間を変更可能に設け、変更したタイマー時間を表示部に表示してなる請求項１記載の加湿機。
【請求項４】
制御部は、運転開始時の湿度センサーの検出湿度に応じて、急速加湿運転のタイマー時間を変更してなる請求項１記載の加湿機。
【請求項５】
制御部は、運転開始時の湿度センサーの検出湿度に応じて、急速加湿運転の高湿閾値を変更してなる請求項１または請求項４記載の加湿機。
【請求項６】
高湿キープ運転の加湿停止閾値を急速加湿運転の高湿閾値と同値とした請求項１記載の加湿機。
【発明の詳細な説明】
【技術分野】
【０００１】
本発明は、室内の乾燥を防止するために使用される加湿機に関する。
【背景技術】
【０００２】
従来、この種の加湿機は、湿度センサーを使って自動制御されるものが知られている（たとえば、特許文献１参照）。
【０００３】
以下、その加湿機において図１２および図１３を参照しながら説明する。
【０００４】
加湿機本体（図示せず）は、入力手段としての運転スイッチ１０１、湿度センサー１０２、湿度設定スイッチ１０３、およびうるおい運転スイッチ１０４を有し、マイクロコンピュータ１０５は入力手段の信号を受けて、出入手段としての表示部１１１、蒸気発生用のヒータ１１２、および送風ファン１１３を運転制御している。
【０００５】
マイクロコンピュータ１０５は入力回路１０６、データやプログラムを記憶する記憶部１０７、タイマー部１０９を含む制御部１０８、および出力回路１１０から構成されている。
【０００６】
記憶部１０７には肌に含まれる水分量を多くするうるおい運転時の設定湿度と運転時間の相関関係データとして、湿度６５％で３０分間運転するデータが記憶されている。
【０００７】
上記構成において図１３のフローチャートで動作を簡単に説明すると、ステップＳ１０３で制御部１０８はヒータ１１２と送風ファン１３をオンにして、うるおい運転を開始し、ステップＳ１０４で制御部１０８は肌に含まれる水分量を多くする雰囲気湿度と時間との相関データとして設定湿度６５％、維持時間３０分を記憶部７より読み出し、ステップＳ１０５で湿度センサー１０２で室内の現在湿度を検出する。ステップＳ１０６で湿度センサー１０２の検出湿度が６５％に達するまでは、ステップＳ１０７〜１０９で加湿運転の継続制御、現在湿度の検出および表示手段１１０により現在湿度や運転モードなどの表示を行う。
【０００８】
湿度センサー１０２の検出湿度が６５％の維持時間をカウントし、３０分経過するとステップＳ１１０に進み、うるおい運転スイッチ１０４がオフされなければ、ステップＳ１０６からステップＳ１１０の動作を繰り返して行う。
【特許文献１】特開２００３−４２４８６号公報
【発明の開示】
【発明が解決しようとする課題】
【０００９】
このような従来の加湿機では、高湿状態を３０分前後の短時間維持することを重視しているため、体感的に「うるおい感」を得たいと要望する使用者にはやや物足りない加湿運転になるという課題があった。
【００１０】
本発明は上記課題を解決するもので、「うるおい感」を素早くかつ持続して体感できるとともに、長時間の運転においても過加湿とならない高湿の湿度状態を維持し、快適性を確保しつつ省エネ運転を行うことを目的とする。
【課題を解決するための手段】
【００１１】
本発明の加湿機は上記目的を達成するために、高湿運転を選択できる高湿運転スイッチと、室内湿度を検出する湿度センサーと、この湿度センサーの検出湿度に応じて加湿手段を制御する制御部を有し、前記高湿運転スイッチをＯＮしたとき前記制御部は所定の高湿閾値を中心とした湿度に保つ急速加湿運転を所定のタイマー時間だけ行い、その後は所定の加湿停止閾値および再加湿閾値の間で湿度が上下動する高湿キープ運転を行える構成としたものである。
【００１２】
また、制御部は、高湿運転スイッチをＯＮして急速加湿運転を行うとき、湿度センサーの検出湿度が所定の高湿閾値に到達した時点からさらに１時間以上の急速加湿運転を継続できる構成としたものである。
【００１３】
また、制御部は、高湿設定スイッチの操作により急速加湿運転のタイマー時間を変更可能に設け、変更したタイマー時間を表示部に表示できる構成としたものである。
【００１４】
また、制御部は運転開始時の湿度センサーの検出湿度に応じて、急速加湿運転のタイマー時間を変更する構成としたものである。
【００１５】
また、制御部は運転開始時の湿度センサーの検出湿度に応じて、急速加湿運転の高湿閾値を変更する構成としたものである。
【００１６】
また、高湿キープ運転の加湿停止閾値を急速加湿運転の高湿閾値と同値とした構成としたものである。
【００１７】
本発明によれば、「うるおい感」を素早くかつ持続して体感できるとともに、長時間の運転においても過加湿とならない高湿の湿度状態を維持し、快適性を確保しつつ省エネ運転を行うことのできる加湿機が得られる。
【発明の効果】
【００１８】
本発明によれば高湿運転を選択できる高湿運転スイッチと、室内湿度を検出する湿度センサーと、この湿度センサーの検出湿度に応じて加湿手段を制御する制御部を有し、前記高湿運転スイッチをＯＮしたとき前記制御部は所定の高湿閾値を中心とした湿度に保つ急速加湿運転を所定のタイマー時間だけ行い、その後は所定の加湿停止閾値および再加湿閾値の間で湿度が上下動する高湿キープ運転を行うようにしたことにより、運転パターンを変化させた飽きのこ使用感が得られ、急速加湿時間により「うるおい感」を素早くかつ持続させ、また高湿キープ運転により長時間にわたって使用してもじめじめ感を与えにくく、省エネ運転をすることができる効果のある加湿機を提供できる。
【００１９】
また、制御部は急速加湿運転時に、湿度センサーの検出湿度が所定の高湿閾値に到達した時点からさらに１時間以上の急速加湿運転を継続することにより、立上り時間の長短にかかわらず、安定状態での急速加湿時間を確保して高湿の「うるおい感」を得ることのできる効果のある加湿機を提供できる。
【００２０】
また、制御部は高湿設定スイッチの操作により、急速加湿運転のタイマー時間を変更可能に設け、表示部に設定したタイマー時間を表示することにより、急速加湿の運転時間を部屋の大きさ、温湿度条件、使用者の好みなどで適宜選ぶことができる加湿機を提供できる。
【００２１】
また、制御部は運転開始時の湿度センサーの検出湿度に応じて、急速加湿運転のタイマー時間を変更することにより、高湿度運転を開始した時点の雰囲気湿度から急速加湿時間を最適に自動設定して快適な急速加湿運転を実現できる加湿機を提供できる。
【００２２】
また、制御部は運転開始時の湿度センサーの検出湿度に応じて、急速加湿運転の高湿閾値を変更することにより、運転開始時の検出湿度に応じて低湿のときは低めに、高湿のときは高めに高湿閾値を変更でき、雰囲気湿度に応じた「うるおい感」を得ることができ、さらに検出湿度に応じて連続運転時間を調整することにより、湿度の低いときは運転時間を延ばして「うるおい感」の満足度を高めた運転ができる加湿機を提供できる。
【００２３】
また、高湿キープ運転の加湿停止閾値を急速加湿運転の高湿閾値と同値とすことにより、急速加湿時と同等の高湿感を与えるとともに、総加湿量を減らして結露しにくくすることができる加湿機を提供できる。
【発明を実施するための最良の形態】
【００２４】
本発明の請求項１記載の発明は、高湿運転を選択できる高湿運転スイッチと、室内湿度を検出する湿度センサーと、この湿度センサーの検出湿度に応じて加湿手段を制御する制御部を有し、前記高湿運転スイッチをＯＮしたとき前記制御部は所定の高湿閾値を中心とした湿度に保つ急速加湿運転を所定のタイマー時間だけ行い、その後は所定の加湿停止閾値および再加湿閾値の間で湿度が上下動する高湿キープ運転を行うようにしたものであり、急速加湿運転で運転開始から一気に高めた高湿環境を連続的に維持して「うるおい感」を与え、高湿キープ運転で「うるおい感」を保ちつつ飽きのこない運転で使用感を高めるという作用を有する。
【００２５】
本発明の請求項２記載の発明は、制御部は、高湿運転スイッチをＯＮして急速加湿運転を行うとき、湿度センサーの検出湿度が所定の高湿閾値に到達した時点からさらに１時間以上の急速加湿運転を継続したものであり、運転開始時の湿度が低くて加湿の立上り時間を要した場合でも、高湿状態での急速加湿運転の継続時間を確保して「うるおい感」を与え、高湿キープ運転にスムーズに移行できるという作用を有する。
【００２６】
本発明の請求項３記載の発明は、制御部は、高湿設定スイッチの操作により、急速加湿運転のタイマー時間を変更可能に設け、表示部に設定したタイマー時間を表示したものであり、使用者の好みにあわせて急速加湿時間を調整できるという作用を有する。
【００２７】
本発明の請求項４記載の発明は、制御部は運転開始時の湿度センサーの検出湿度に応じて、急速加湿運転のタイマー時間を変更するものであり、制御部は雰囲気湿度が高い場合は急速加湿時間の立上り時間が短くなり、かつ高湿閾値に到着後の運転も加湿量がやや多くなるのでタイマー運転時間を短く調整するという作用を有する。
【００２８】
本発明の請求項５記載の発明は、制御部は、運転開始時の湿度センサーの検出湿度に応じて、急速加湿運転の高湿閾値を変更したものであり、検出湿度が高湿の時は急速加湿時間を短く、低湿の時は長く自動調整する作用を有する。
【００２９】
発明の請求項６記載の発明は、高湿キープ運転時の停止閾値を急速加湿運転の閾値と同じとしたもので、高湿キープ運転時において、急速加湿運転時の最高湿度に合致させるように加湿してできるだけ高湿感を維持するとともに、加湿総量は減らすことができるので壁面などへの結露を防ぐことができるという作用を有する。
【実施例１】
【００３０】
（実施例１）
図１〜図３に示すようにマイクロコンピュータ４は入力側にてメインスイッチとなる運転スイッチ１、高湿運転を設定する高湿運転スイッチ３、および室内湿度を検出する湿度センサー２が接続され、出力側に運転状態などを表示する表示部５と加湿手段としての送風ファン７とヒータ８が接続されている。制御回路部６は上記マイクロコンピュータ４、表示部５、運転スイッチ１、高湿運転スイッチ３、湿度センサー２を搭載している。
【００３１】
マイクロコンピュータ４は運転スイッチ１および高湿運転スイッチ３が押されると、図２のタイムチャートに示すように、まずＴａ時間だけ急速加湿運転１１を行い、次に高湿キープ運転１２を行うよう制御している。
【００３２】
上記構成において、本発明の動作について図２のフローチャートにより説明する。
【００３３】
まず、ステップ２１で送風７とヒータ８をオフし、ステップ２２で運転スイッチ１の操作を確認する。ステップ２２で運転スイッチ１が停止操作であればステップ２１を繰り返す。運転スイッチ１が運転操作であればステップ２３へ進み高湿スイッチ３が押されたかを確認し、押されなかったらステップ３４へ進み、送風ファン７とリレー８をオンしステップ２２へ戻る。ステップ２３で高湿スイッチ３が押されたらステップ２４へ進み急速加湿運転に入る。ステップ２４ではタイマーをスタートさせステップ２５へ進み、湿度センサー２からの出力を比較し、高湿閾値Ｈａ未満であればステップ２６で送風機７とヒータ８をオンしステップ２７へ進む。ステップ２５で高湿閾値Ｈａ以上であればステップ２８へ進み送風ファン７とヒータ８をオフしてステップ２７へ進む。ステップ２７では前記タイマーによる経過時間を比較し急速加湿時間Ｔａ以上であればステップ２８の高湿キープ運転へ進む。ステップ２７で経過時間がＴａ未満であればステップ２５へ戻る。ステップ２８では湿度センサー２の出力を比較し、高湿閾値Ｈｂより高ければステップ２９へ進み送風ファン７とリレー８をオフしステップ３０へ進む。ステップ３０では湿度センサー２の出力を高湿閾値Ｈｃと比較し、未満であればステップ３１へ進んで送風ファン７とリレー８をＯＮしステップ３２へ進む。また、ステップ２８で高湿閾値Ｈｂ以下であればステップ３１へ進む。ステップ３０で高湿閾値Ｈｃ以上であればステップ２９へ戻る。ステップ３２では、高湿運転のモードが解除されているかを判定し、解除されていない場合はステップ２８へ戻り高湿キープ運転を継続する。ステップ３２で高湿運転が解除されていた場合はステップ３３へ進み運転が停止かを判定し、停止であればステップ２１へ戻る。またステップ３３で運転が停止でなければステップ２３へ戻る。
【００３４】
なお、本実施例では高湿閾値Ｈａを６５％、高湿閾値Ｈｂを７０％、高湿閾値Ｈｃを６０％、急速加湿時間Ｔａを４時間としているが、高湿閾値Ｈａ〜Ｈｃを６０〜７０％の範囲内とし、急速加湿時間Ｔａを１〜４ｈの範囲に収まる値とすればよい。
【００３５】
このように、長時間の急速加湿運転により「うるおい感」を素早くかつ持続させ、また高湿キープ運転においても高湿を維持しつつ、運転パターンを変化させて飽きのこない使用感を得ることができるとともに、ヒータ８のＯＦＦ時間が長くなり省エネ運転することができる。
【００３６】
なお、本実施では、ヒータ式加湿機を例に説明したが、湿度調整できる超音波式などの加湿方式であれば、他の加湿機でも同様の効果を有するものである。  
【００３７】
（実施例２）
実施例２以降については、実施例１と同一構成のものは同一番号を付して詳しい説明は省略する。
【００３８】
図１、図４に示すように急速加湿運転１１を開始すると、送風ファン７とヒータ８に通電されて室内の湿度が増加し、湿度センサー２の検出湿度Ｈｘも順次上昇して、高湿閾値Ｈａとしての湿度６５％に到達すると、マイクロコンピュータ４はヒータ８をＯＮ／ＯＦＦ制御して室内湿度を６５％に維持するような加湿制御を行う。検出湿度Ｈｘが６５％に到達した時点Ｔ１からマイクロコンピュータ４はこの湿度状態を１時間以上維持するようにカウントを始める。本実施例では急速加湿運転の湿度６５％の継続時間（Ｔ２−Ｔ１）を３時間として高湿状態で得られる「うるおい感」を堪能できるようにしている。
【００３９】
なお、急速加湿時間Ｔ２が実施例１の急速加湿時間Ｔａより大となる場合は、マイクロコンピュータ４は急速加湿運転時間をＴ２時間まで延長し、継続時間（Ｔ２−Ｔ１）を維持できる加湿運転を行う。
【００４０】
（実施例３）
図５は本実施例の制御構成を示すブロック図であり、高湿運転設定スイッチ３ａは高湿運転の切換設定を行うとともに、押した回数により急速加湿運転時の運転時間の選択を行う。また、表示部５ａは高湿運転設定スイッチ３ａで設定した運転時間を複数のＬＥＤまたは液晶で表示する。
【００４１】
上記構成において、高湿運転時の動作について図６のフローチャートにより説明する。
【００４２】
まず、ステップ２１で送風７とヒータ８をオフし、ステップ２２で運転スイッチ１の操作を確認する。運転スイッチ１が運転操作であればステップ４０へ進みプッシュ式の高湿運転切換スイッチ３ａが押されたかどうか確認し、押された場合はその押された回数によりモードを決定してステップ４１へ進む。ステップ４１では設定された急速加湿運転時間が１時間かを判定し、１時間であればステップ４２へ進み急速加湿時間Ｔａを１時間に設定しステップ２４へ進む。
【００４３】
同様に、ステップ４０で設定された急速加湿運転時間が２時間、３時間、４時間についてはステップ４３，４５で判断してそれぞれステップ４４，４６，４７に進み、ステップ２４でタイマーをスタートする。ステップ２５以降は実施例１と同一のフローとなり、設定したタイマー時間Ｔａが終了するまで急速加湿運転を行い、高湿キープ運転に移行する。
【００４４】
以上のように、急速加湿運転時間を使用者が適宜設定することができ、部屋の種類や大きさ、雰囲気湿度の高低、使用者の好みや使用時間帯にあわせた快適な高湿度の加湿を行うことができる。
【００４５】
（実施例４）
図５において、マイクロコンピュータ４は湿度センサー２の検出湿度Ｈｘに応じて急速加湿運転のタイマー時間Ｔａを自動的に設定する構成としている。
【００４６】
上記構成において図７のフローチャートを用いて、主に急速加湿運転時の動作について説明する。
【００４７】
ステップ２１、２２で運転を開始し、ステップ２３で高湿運転スイッチ３が押されたか確認し、押された場合はステップ５１へ進み現在の検出湿度Ｈｘを取り込みステップ５２へ進む。ステップ５２では、取り込んだ検出湿度Ｈｘが６０％以上かを判定し、６０％以上であればステップ５３へ進み急速加湿時間Ｔａを１時間に設定しステップ２４へ進む。同様にステップ５２で検出湿度Ｈｘが５５〜６０％、５０〜５５％、５０％未満であれば、それぞれステップ５５，５７，５８に進み、急速加湿時間Ｔａを２ｈ，３ｈ，４ｈのいずれかに設定してステップ２４でタイマースタートする。ステップ２５以降は実施例１と同一のフローとなり設定したタイマー時間Ｔａが終了するまで急速加湿運転を行う。
【００４８】
以上のように、急速加湿運転時間を運転開始時の検出湿度Ｈｘに応じて自動調整することができ、使用時の湿度環境に合わせた快適な急速加湿運転を行うことができる。
【００４９】
（実施例５）
図８は加湿機の制御ブロック図であり、高湿運転設定スイッチ３ｂは、高湿運転の設定を行うとともに押した回数によりモード切換を行う。マイクロコンピュータ４は湿度センサー２の検出湿度Ｈｘに応じて高湿閾値Ｈａと急速加湿時間Ｔａの値を各々設定している。
【００５０】
本実施例では高湿閾値Ｈａを６５≧Ｈａ≧６０として、検出湿度Ｈｘが低い場合でも高湿閾値は６０％を維持できるようにしているが、決定された高湿閾値が低くなるほど、急速加湿時間Ｔａは２〜４時間の範囲で相対的に長くなるよう設定している。
【００５１】
上記構成において、主に急速加湿運転の動作について図９のフローチャートにより説明する。
【００５２】
まず、ステップ２１、２２で運転を開始し、ステップ６０で高湿運転設定スイッチ３ｂが押されたか確認し、押された場合はステップ５１へ進み、現在湿度Ｈｘを読みこみステップ６１へ進む。ステップ６１では検出された湿度Ｈｘが６０％以上かどうかを判定し、６０％以上であればステップ６２へ進み高湿閾値Ｈａを６５％に、急速加湿時間Ｔａを２時間に設定しステップ２４へ進む。
【００５３】
また、ステップ６１、６３で検出された湿度Ｈｘが６０＞Ｈｘ≧５５であればステップ６４へ進み高湿閾値Ｈａを６３％に、急速加湿時間Ｔａを２．５時間に設定しステップ２４へ進む。
【００５４】
また、ステップ６１，６３，６５で検出された湿度Ｈｘが５５＞Ｈｘ≧５０であればステップ６６へ進み高湿閾値Ｈａを６２％、急速加湿時間Ｔａを３時間に設定しステップ２４へ進む。
【００５５】
また、ステップ６５で検出された湿度Ｈｘが５０％未満のときは、ステップ６７へ進み、高湿閾値Ｈａを６０％に、急速加湿時間Ｔａを４時間に設定しステップ２４へ進む。ステップ２４〜２７で設定したタイマー時間Ｔａが終了するまで急速加湿運転を行い、ステップ２８以降は実施例１と同一フローとなり、高湿キープ運転に移行する。
【００５６】
なお、本実施例では急速加湿運転時間Ｔａを最長４時間としたが、急速加湿運転時間Ｔａ４時間以上としてもよい。
【００５７】
以上のように、急速加湿運転の開始時に検出した湿度に応じて、急速加湿運転用の高湿閾値と運転時間を自動設定することができ、雰囲気湿度に適した高湿度の加湿運転を行うことができるとともに、特に検出湿度が５０％以下の低い湿度の場合には高湿閾値Ｈａを６０％として長時間運転することにより、低い雰囲気湿度に対してもできるだけ高湿度の「うるおい感」を得ることができる。
【００５８】
（実施例６）
図１、図１０および図１１に示すように、回路構成は実施例１と同一であるが、マイクロコンピュータ４は急速加湿運転の加湿量を調整するための高湿閾値Ｈａと高湿キープ運転の加湿停止閾値Ｈｂを同一値として運転制御するようにしている。
【００５９】
上記構成において、高湿運転時の動作について図１１のフローチャートにより説明する。
【００６０】
まず、ステップ２１〜２３で急速運転に入るとステップ２４でタイマーをスタートさせステップ２５へ進み、湿度センサー２からの出力を比較し、高湿閾値Ｈａ未満であればステップ２６で送風機７とヒータ８をオンしステップ２７へ進む。ステップ２５で高湿閾値Ｈａ以上であればステップ２８へ進み送風ファン７とヒータ８をオフしてステップ２７へ進む。ステップ２７では前記タイマーを比較しＴａ以上であればステップ７０の高湿キープ運転へ進み、湿度センサー２の出力と高湿閾値Ｈａ（＝Ｈｂ），Ｈｃとを比較し、ステップ２９〜３２、およびステップ７０の繰り返し過程の中で、送風ファン７とヒータ８をＯＮ／ＯＦＦ制御して湿度Ｈａ（＝Ｈｂ），Ｈｃ間を上下するように加湿運転を継続することにより、高湿状態をキープしている。ここで急速加湿運転の高湿閾値Ｈａと高湿キープ運転の加湿停止の閾値Ｈｂを同じ値としているので、運転パターンは異なるが最高湿度は略同一となり、急速加湿運転時のうるおい感を失うことはなく、また高湿キープ運転の方が相対的に加湿量が少なくなり、省エネ運転ができるとともに、壁面などへの結露を少なくすることができる。
【００６１】
なお、本実施例では高湿閾値Ｈａ，Ｈｂを６５％、Ｈｃを６０％に設定しているが、Ｈａ，Ｈｂを６０〜７０％、Ｈｃを５５〜６５％の範囲内でＨａ＝Ｈｂ＞Ｈｃの関係とすることで、同様の効果を得られるものである。
【産業上の利用可能性】
【００６２】
高湿運転スイッチをＯＮしたとき所定の高湿閾値を中心とした湿度に保つ急速加湿運転を所定のタイマー時間だけ行って「うるおい感」を与え、その後は所定の加湿停止閾値および再加湿閾値の間で湿度が上下動する高湿キープ運転を行えるので、高温でありながら長時間にわたって使用してもじめじめ感を与えにくく、省エネ運転の必要な用途に適用できるものである。
【図面の簡単な説明】
【００６３】
【図１】（イ）本発明の実施例１、実施例２および実施例６の加湿機のブロック図（ロ）同加湿機の外観斜視図
【図２】（イ）本発明の実施例１の加湿機の急速加湿運転フローチャート（ロ）同高湿キープ運転のフローチャート
【図３】同加湿機のタイムチャート
【図４】本発明の実施例２の加湿機のタイムチャート
【図５】本発明の実施例３および実施例４の加湿機のブロック図
【図６】本発明の実施例３の加湿機の急速加湿運転のフローチャート
【図７】本発明の実施例４の加湿機の急速加湿運転のフローチャート
【図８】本発明の実施例５の加湿機のブロック図
【図９】同加湿機の急速加湿運転のフローチャート
【図１０】本発明の実施例６の加湿機のタイムチャート
【図１１】（イ）同加湿機の急速加湿運転のフローチャート（ロ）同高湿キープ運転のフローチャート
【図１２】従来の加湿機のブロック図
【図１３】同フローチャート
【符号の説明】
【００６４】
２  湿度センサー
３  高湿運転スイッチ
４  マイクロコンピュータ（制御部）
５  表示部
７  送風ファン（加湿手段）
８  ヒータ（加湿手段）
【図１】
2005037104.tif 000003
【図２】
2005037104.tif 000004
【図３】
2005037104.tif 000005
【図４】
2005037104.tif 000006
【図５】
2005037104.tif 000007
【図６】
2005037104.tif 000008
【図７】
2005037104.tif 000009
【図８】
2005037104.tif 000010
【図９】
2005037104.tif 000011
【図１０】
2005037104.tif 000012
【図１１】
2005037104.tif 000013
【図１２】
2005037104.tif 000014
【図１３】
2005037104.tif 000015